Podtech/llm-jp-corpus-v4-ja_patent huggingface dataset:
【手続補正書】
【提出日】平成20年4月16日(2008.4.16)
【手続補正１】
【補正対象書類名】明細書
【補正対象項目名】００１６
【補正方法】変更
【補正の内容】
【００１６】
図４は台毎トップランプ４の斜視図、図５はその正面図、図６はその側面図である。これら図４ないし図６おいて、台毎トップランプ４は、ほぼ三角柱状に形成された本体部９と、その本体部９の両端面に設けられ、各種の遊技情報を表示する一対の第１情報表示部１０，１０と、本体部９の前端上部に設けられ、演出を行う演出表示部１１とから構成されている。図７は、台毎トップランプ４の設置状態を示す側面図である。この図７において、台毎トップランプ４の本体部９は、ベース板１２により、パチンコ遊技機１に対応して設けられている呼出ランプユニット３の上方に位置する幕板１３の上部に配置され、その島の前面部分から前方に突出するように設けられている。その本体部９の両端面に設けられた第１情報表示部１０，１０は、島の略左右方向を向くようにそれぞれが配設され、演出表示部１１は、幕板１３に対して略平行になるように島の左右方向に長く形成され、その長手方向に亙って演出を行うための複数のランプを有している。また、本体部９と演出表示部１１との境界部分には、パチンコ遊技機１の稼動・非稼動状態を示す稼動ランプ１４が設けられている。
【手続補正２】
【補正対象書類名】図面
【補正対象項目名】図１０
【補正方法】変更
【補正の内容】
【図１０】
2007029441.tif 000001
【手続補正書】
【提出日】平成20年6月26日(2008.6.26)
【手続補正１】
【補正対象書類名】特許請求の範囲
【補正対象項目名】請求項２
【補正方法】変更
【補正の内容】
【請求項２】
前記ヘッド及び回転ディスクの軸線(156)を遊技機前面側に傾斜し、前記ヘッド内を視認可能にしたことを特徴とする請求項１の球体送り出し装置を備えた遊技機。
【手続補正２】
【補正対象書類名】特許請求の範囲
【補正対象項目名】請求項３
【補正方法】変更
【補正の内容】
【請求項３】
前記ヘッド内を照明する発光装置(60)を備えることを特徴とする請求項１また２の球体送り出し装置を備えた遊技機。
【手続補正３】
【補正対象書類名】特許請求の範囲
【補正対象項目名】請求項４
【補正方法】変更
【補正の内容】
【請求項４】
前記ヘッドの上端開口を閉止し、前記ヘッドに対して着脱自在な蓋（104）を備えることを特徴とする請求項１の球体送り出し装置を備えた遊技機。
【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
被検体に挿入される挿入部と、この挿入部に設けられた撮像部とを備える内視鏡装置であって、
前記撮像部が、
前記被検体からの反射光を光電変換するための固体撮像素子と、
この固体撮像素子の周辺の温度を検出する温度検出手段と、
前記固体撮像素子に電気的に接続された回路基板と、
この回路基板に設けられた電子部品のうち、発熱量の多い高温発熱部品と、を備え、
前記温度検出手段は、前記撮像部内において、前記固体撮像素子と前記高温発熱部品との間で、且つ、前記高温発熱部品と離隔した領域に設けられていることを特徴とする内視鏡装置。
【請求項２】
前記回路基板が、前記固体撮像素子の後方において、前記挿入部の長さ方向と交差する方向に向けられており、
前記回路基板が、前記固体撮像素子の側に向けられた一方の主面を備え、
前記温度検出手段が、前記一方の主面に実装されていることを特徴とする請求項１に記載の内視鏡装置。
【請求項３】
前記回路基板が、前記固体撮像素子の後方において、前記挿入部の長さ方向と交差する方向に向けられており、
前記回路基板が、前記固体撮像素子の側に向けられた一方の主面と、この一方の主面の反対側に配された他方の主面とを備え、
前記高温発熱部品が、前記他方の主面に実装されていることを特徴とする請求項１または請求項２に記載の内視鏡装置。
【請求項４】
前記回路基板が、前記長さ方向と交差する方向に複数設けられており、
前記温度検出手段が、前記一方の主面に実装され、
前記高温発熱部品が、前記温度検出手段が実装された回路基板よりも、前記固体撮像素子に対して遠い側に配された回路基板の一方の主面または他方の主面に実装されていることを特徴とする請求項２または請求項３に記載の内視鏡装置。
【請求項５】
前記回路基板が、前記固体撮像素子の後方において、前記挿入部の長さ方向に沿って設けられており、
前記温度検出手段が、前記回路基板のうち、前記固体撮像素子に近い側に配された近接領域に実装され、
前記高温発熱部品が、前記回路基板のうち、前記近接領域よりも前記固体撮像素子に対して遠い側に配された離隔領域に実装されていることを特徴とする請求項１に記載の内視鏡装置。
【請求項６】
前記回路基板が複数設けられ、前記固体撮像素子の後方において、前記挿入部の長さ方向に沿って対向して配されており、
複数設けられた回路基板のうちの一つの回路基板を、前記高温発熱部品の熱を遮断するために、前記温度検出手段と前記高温発熱部品との間に設けたことを特徴とする請求項５に記載の内視鏡装置。
【手続補正２】
【補正対象書類名】明細書
【補正対象項目名】０００５
【補正方法】変更
【補正の内容】
【０００５】
上記課題を解決するために、本発明は以下の手段を提供する。
本発明に係る内視鏡装置は、被検体に挿入される挿入部と、この挿入部に設けられた撮像部とを備える内視鏡装置であって、前記撮像部が、前記被検体からの反射光を光電変換するための固体撮像素子と、この固体撮像素子の周辺の温度を検出する温度検出手段と、前記固体撮像素子に電気的に接続された回路基板と、この回路基板に設けられた電子部品のうち、発熱量の多い高温発熱部品と、を備え、前記温度検出手段は、前記撮像部内において、前記固体撮像素子と前記高温発熱部品との間で、且つ、前記高温発熱部品と離隔した領域に設けられていることを特徴とする。
【手続補正３】
【補正対象書類名】明細書
【補正対象項目名】００１１
【補正方法】変更
【補正の内容】
【００１１】
また、本発明に係る内視鏡装置は、前記回路基板が、前記長さ方向と交差する方向に複数設けられており、前記温度検出手段が、前記一方の主面に実装され、前記高温発熱部品が、前記温度検出手段が実装された回路基板よりも、前記固体撮像素子に対して遠い側に配された回路基板の一方の主面または他方の主面に実装されていることを特徴とする。
【手続補正４】
【補正対象書類名】明細書
【補正対象項目名】００１５
【補正方法】変更
【補正の内容】
【００１５】
また、本発明に係る内視鏡装置は、前記回路基板が複数設けられ、前記固体撮像素子の後方において、前記挿入部の長さ方向に沿って対向して配されており、複数設けられた回路基板のうちの一つの回路基板を、前記高温発熱部品の熱を遮断するために、前記温度検出手段と前記高温発熱部品との間に設けたことを特徴とする。
【手続補正５】
【補正対象書類名】明細書
【補正対象項目名】００１６
【補正方法】変更
【補正の内容】
【００１６】
この発明に係る内視鏡装置においては、温度検出手段と高温発熱部品との間に、複数設けられた回路基板のうちの一つの回路基板を設けたことにより、温度検出手段に対して影響を与える高温発熱部品の熱を遮断することができる。
【手続補正６】
【補正対象書類名】明細書
【補正対象項目名】００４５
【補正方法】変更
【補正の内容】
【００４５】
また、ＨＩＣ７９を、第一ＣＣＤ基板８８の離隔領域８８ｂに実装するとしたが、これに限ることはなく、例えば、図７に示すように、ＨＩＣ７９を、第二ＣＣＤ基板８９の離隔領域８９ｂに実装するようにしてもよい。すなわち、温度検出手段７６を、第一ＣＣＤ基板（一の回路基板）８８の近接領域８８ａに実装し、ＨＩＣ７９を、第二ＣＣＤ基板（他の回路基板）８９の離隔領域８９ｂに実装するようにする。これにより、温度検出手段７６とＨＩＣ７９とをさらに離隔させることができるだけでなく、温度検出手段７６に対すＨＩＣ７９からの熱の影響をさらに小さくすることができる。
【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
被写体の像を撮像し、撮像信号として出力する撮像手段を挿入部先端に備えた内視鏡と、
前記内視鏡を制御するための内視鏡制御部と、
を具備した内視鏡装置において、
前記被写体を照明するための照明手段を駆動する照明駆動手段と、
前記撮像手段を駆動すると共に、前記撮像信号を信号処理し、映像信号として出力する撮像信号処理手段と、
前記映像信号を信号処理する映像信号処理手段と、
少なくとも、前記撮像手段、前記照明駆動手段、前記撮像信号処理手段、及び前記映像信号処理手段に対して電力を供給する電力供給手段と、
前記内視鏡制御部の温度を検出する温度検出手段と、
前記温度検出手段による検出温度に基づき、前記撮像手段、前記照明駆動手段、前記撮像信号処理手段、及び前記映像信号処理手段の駆動を選択制御する制御手段と、
を具備することを特徴とする内視鏡装置。
【請求項２】
前記制御手段により駆動を選択制御される対象に、
前記内視鏡の前記挿入部先端を湾曲させる湾曲手段を駆動するための湾曲駆動手段をさらに備えることを特徴とする請求項１に記載の内視鏡装置。
【請求項３】
前記映像処理手段は、前記撮像手段が撮像した被写体の像を記録・再生する手段を有することを特徴とする請求項１に記載の内視鏡装置。
【請求項４】
前記温度検出手段は、前記内視鏡制御部内部に複数設けられていることを特徴とする請求項１に記載の内視鏡装置。
【請求項５】
前記温度検出手段は、前記電力供給手段近傍に設けられていることを特徴とする請求項１または請求項４に記載の内視鏡装置。
【請求項６】
前記内視鏡制御部外部には、環境温度を検出するための環境温度検出手段がさらに設けられ、
前記制御手段は、前記温度検出手段が検出した温度と、前記環境温度検出手段が検出した環境温度との温度差に基づく制御を行うことを特徴とする請求項１、請求項４または請求項５のいずれか一項に記載の内視鏡装置。
【請求項７】
前記電力供給手段は、前記内視鏡制御部外部からの電力を供給する外部電力供給手段と、前記内視鏡制御部に着脱可能であり、前記内視鏡制御部に電力を供給する蓄電手段とを有し、
前記制御手段は、前記外部電力供給手段及び前記蓄電手段からの電力の供給状態に基づいて駆動対象の駆動状態を選択制御することを特徴とする請求項１の内視鏡装置。
【手続補正２】
【補正対象書類名】明細書
【補正対象項目名】００１５
【補正方法】変更
【補正の内容】
【００１５】
本発明における第６の内視鏡装置は、前記第１、第４または第５の内視鏡装置において、前記内視鏡制御部外部には、環境温度を検出するための環境温度検出手段がさらに設けられ、前記制御手段は、前記温度検出手段が検出した温度と、前記環境温度検出手段が検出した環境温度との温度差に基づく制御を行うことを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
本発明における第７の内視鏡装置は、前記第１の内視鏡装置において、前記電力供給手段は、前記内視鏡制御部外部からの電力を供給する外部電力供給手段と、前記内視鏡制御部に着脱可能であり、前記内視鏡制御部に電力を供給する蓄電手段とを有し、前記制御手段は、前記外部電力供給手段及び前記蓄電手段からの電力の供給状態に基づいて駆動対象の駆動状態を選択制御することを特徴とする。
【手続補正書】
【提出日】平成20年7月8日(2008.7.8)
【手続補正１】
【補正対象書類名】明細書
【補正対象項目名】００１９
【補正方法】変更
【補正の内容】
【００１９】
本発明の飲料は、常法により調製でき、その方法は特に限定しないが、通常、各成分を規定量以下の精製水にて混合し、規定量に容量調整し、必要に応じて濾過、殺菌処理をすることにより得られる。なお、飲料中に脂溶性成分を含むときは、通常用いられる界面活性剤又は可溶化剤により乳化又は可溶化してもよく、また、分散剤を用いて懸濁させてもよい。
【手続補正２】
【補正対象書類名】明細書
【補正対象項目名】００３０
【補正方法】変更
【補正の内容】
【００３０】
試験例１
硝酸チアミンの安定性を試験するため、実施例１〜５の飲料及びフルフラール及び／又はスルフロール抜きの飲料として比較例１及び２の飲料を作成し、６５℃７日及び１４日保存後のそれぞれの飲料の硝酸チアミンの残存率（％）を測定した。その結果を表１及び表２に示した。
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
横架した部材に懸垂されている、浸潤状態の乾燥ミズゴケの植物体の集合物の横架前面に生長ミズゴケの植物体を定着させてなるミズゴケ複合体を１単位として、２単位以上が互いの乾燥ミズゴケの植物体の集合物同士が接触することにより、共通した水の浸潤系を形成してなることを特徴とするミズゴケ複合体であって、２単位以上の当該ミズゴケ複合体における乾燥ミズゴケの植物体の集合物同士の接触が、一方の単位のミズゴケ複合体の上端近傍と、他方の単位のミズゴケ複合体の下端近傍とで行われることを特徴とする、ミズゴケ複合体。
【請求項２】
前記ミズゴケ複合体において、乾燥ミズゴケの植物体の集合物の一部を水に接触させることにより、当該集合物全体が湿潤状態となっていることを特徴とする、請求項１に記載のミズゴケ複合体。
【請求項３】
前記ミズゴケ複合体において、生長ミズゴケの植物体が表側に定着された状態で、壁面上に固定されていることを特徴とする、請求項１又は２に記載のミズゴケ複合体。
【手続補正書】
【提出日】平成20年5月8日(2008.5.8)
【手続補正１】
【補正対象書類名】明細書
【補正対象項目名】００５０
【補正方法】変更
【補正の内容】
【００５０】
さらに、図７に示すドライヤチューブ１０はその二次側端部１０ｂにパージ気体流入孔１８ｂが形成され、一次側端部１０ｂにパージ気体流出孔１９が形成されており、両方の孔１８ｂ，１９の内径は相互に同一内径となっている。これにより、一方をパージ気体流入孔１８ｂとし、他方をパージ気体流出孔１９とすることができるので、図１〜図６に示したドライヤチューブ１０と相違して、ドライヤチューブ１０の両方の端部のうち何れを一次側継手１１または二次側継手１２に締結するようにしても良い。したがって、このドライヤチューブ１０には図１に示したように気体の流れ方向を表示する矢印２０を標記することが不要となる。
【手続補正２】
【補正対象書類名】明細書
【補正対象項目名】００５１
【補正方法】変更
【補正の内容】
【００５１】
このように、ドライヤチューブ１０の両端に２つの孔１８ｂ，１９を形成し、それぞれの孔１８ｂ，１９に連通させて一次側継手１１と二次側継手１２に排気口３０と給気口５０とを設けるようにした場合には、排気口３０を給気口とし、給気口５０を排気口として、パージ気体を上述した場合とは逆方向に流すようにしても良い。つまり、ドライヤチューブ１０の流出側部にパージ気体流入孔１８ｂとパージ気体流出孔１９の一方を形成し、ドライヤチューブ１０の流入側部にパージ気体流入孔１８ｂとパージ気体流出孔１９の他方を形成し、パージ気体流入孔１８ｂに連通し外部からドライヤチューブ１０内に気体を供給する給気口５０を一次側継手１１と二次側継手１２の一方に設け、パージ気体流出孔１９に連通してパージ気体を排出する排気口５０を一次側継手１１と二次側継手１２の他方に設けるようにしても良い。なお、図６に示す二次側継手１２についても図７に示す場合と同様に二次側継手１２に給気口５０を設けるようにして外部からドライヤ室１３にパージ気体を供給するようにしても良い。
【手続補正書】
【提出日】平成20年7月18日(2008.7.18)
【手続補正１】
【補正対象書類名】明細書
【補正対象項目名】００１２
【補正方法】変更
【補正の内容】
【００１２】
また、彎曲内反骨切り術の場合、摺動路４内における骨切り刃挿入部１１の円弧状移動可能線１８の曲率半径（本発明の実施例では貫通部５の円弧状中央線１８の曲率半径）は、大腿骨４０の頚部長を考慮して決定されることが好ましい。具体的に、円弧状移動可能線１８の曲率半径は３５〜５５ｍｍであることが好ましく、特に、４０〜５０ｍｍであることが好ましい。
貫通部（孔部）５は、手術中の取り扱い性及び一度の操作で切断可能な骨切り距離を考慮して９０°〜１２０°の円弧として形成されていることが好ましい。  摺動部材７は、図１，図２，図３に示すように、骨切り刃５５を挿入するための骨切り刃挿入部１１を有する摺動部材本体１０と、摺動路４を摺動するための摺動部１２とを備えている。また、本発明の実施例において、摺動部材７は、骨切りガイド１を骨に仮固定するための固定部材５２を挿入するための仮固定用挿入部２１を備えている。骨切り刃挿入部１１は、本発明の実施例では挿入孔となっている。また、摺動部材本体１０は円弧状に形成されている。
【手続補正２】
【補正対象書類名】明細書
【補正対象項目名】００２６
【補正方法】変更
【補正の内容】
【００２６】
次に、本発明の実施例の骨切りガイド１の他の使用方法について説明する。図１６から図１８は、骨切りガイドの他の使用方法についての説明図である。ここでは、変形性骨関節症手術における高位脛骨骨切り術を用いて骨切りガイドの使用方法を説明する。この骨切りガイドの使用方法は、一度の切断操作で骨切りが完了する場合である。
まず、Ｘ線、ＭＲ等を用いて、膝関節矯正角度、骨切り位置（骨切り予定線）等を決定する。そして、麻酔下、患者を仰臥位にする。そして、関節鏡を用いて関節内の状態を把握し、軟骨、半月板の損傷を確認し、必要があれば適宜処置する。その後、腓骨の骨切りを行う。腓骨の骨切りは腓骨中央部において行われる。次に、脛骨結節から約一横指中枢で、横一直線の皮切をする。そして、脛骨の高位部分の内外側から筋肉組織、骨膜、靱帯等を十分に剥離する。そして、脛骨の高位部分の内外側から筋肉組織等を十分に剥離した後、筋鉤やレトラクターで確実に神経血管束が防御されていることを確認する。その後、膝蓋腱を剥離し、骨切りの際に邪魔にならないようにする。脛骨が十分に剥離できたら創外固定器用のピンの挿入を行う。創外固定器用のピンは、脛骨中枢側と末梢側に挿入される。
【手続補正３】
【補正対象書類名】明細書
【補正対象項目名】００２８
【補正方法】変更
【補正の内容】
【００２８】
【図１】図１は、本発明の実施例である骨切りガイドの正面図である。
【図２】図２は、図１に示す骨切りガイドの背面図である。
【図３】図３は、図１に示す骨切りガイドの側面図である。
【図４】図４は、図１に示す骨切りガイドのＡ−Ａ線断面図である。
【図５】図５は、本発明の他の実施例である骨切りガイドの正面図である。
【図６】図６は、本発明の他の実施例である骨切りガイドの正面図である。
【図７】図７は、本発明の他の実施例である骨切りガイドの正面図である。
【図８】図８は、本発明の他の実施例である骨切りガイドの正面図である。
【図９】図９は、図８のＢ−Ｂ線断面図である。
【図１０】図１０は、本発明の他の実施例である骨切りガイドの正面図である。
【図１１】図１１は、図１に示す骨切りガイドの使用方法を説明するための説明図である。
【図１２】図１２は、図１に示す骨切りガイドの使用方法を説明するための説明図である。
【図１３】図１３は、図１に示す骨切りガイドの使用方法を説明するための説明図である。
【図１４】図１４は、図１に示す骨切りガイドの使用方法を説明するための説明図である。
【図１５】図１５は、図１に示す骨切りガイドの使用方法を説明するための説明図である。
【図１６】図１６は、図１に示す骨切りガイドの他の使用方法を説明するための説明図である。
【図１７】図１７は、図１に示す骨切りガイドの他の使用方法を説明するための説明図である。
【図１８】図１８は、図１に示す骨切りガイドの他の使用方法を説明するための説明図である。
【図１９】図１９は、従来の骨切りガイドの正面図である。
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
温風入口及び温風出口を有し、横軸状に配設された円筒状の水槽と、
この水槽の内部に配設されたドラムと、
このドラムを回転させる駆動装置と、
前記水槽の温風出口及び温風入口を接続して設けられた通風ダクトと、
この通風ダクトにエバポレータ及びコンデンサを配置し、それらとコンプレッサとを接続して構成されたヒートポンプと、
前記通風ダクトを通して前記水槽内の空気を循環させる送風機とを具備し、
前記水槽の温風入口及び温風出口を水槽の軸方向に分けて設け、
前記通風ダクトを前記水槽のほゞ直下に水槽の軸方向と並列に配置し、
前記水槽の軸方向と直交する方向の通風ダクト側方の位置に前記ヒートポンプのコンプレッサを配置すると共に、
洗濯物から散出するリントを捕獲するフィルタを収納するフィルタケースを、ヒートポンプのエバポレータ及びコンデンサと縦列に並ぶ配置で、通風ダクトの風上側に設けたことを特徴とするドラム式洗濯乾燥機。
【請求項２】
ヒートポンプのコンプレッサを、通風ダクトの底面に補強板を介して配置したことを特徴とする請求項１記載のドラム式洗濯乾燥機。
【請求項３】
通風ダクトを通る空気がヒートポンプのエバポレータで除湿されることに伴い生じる水を貯留する排水タンクを、通風ダクトの底板に形成したことを特徴とする請求項１記載のドラム式洗濯乾燥機。
【請求項４】
通風ダクトの側壁を、ヒートポンプのエバポレータの端板と、コンデンサの端板、並びにそれらの端板を継ぐ補助側板で構成したことを特徴とする請求項１記載のドラム式洗濯乾燥機。
【手続補正２】
【補正対象書類名】明細書
【補正対象項目名】０００８
【補正方法】変更
【補正の内容】
【０００８】
上記目的を達成するために、本発明のドラム式洗濯乾燥機においては、温風入口及び温風出口を有し、横軸状に配設された円筒状の水槽と、この水槽の内部に配設されたドラムと、このドラムを回転させる駆動装置と、前記水槽の温風出口及び温風入口を接続して設けられた通風ダクトと、この通風ダクトにエバポレータ及びコンデンサを配置し、それらとコンプレッサとを接続して構成されたヒートポンプと、前記通風ダクトを通して前記水槽内の空気を循環させる送風機とを具備し、前記水槽の温風入口及び温風出口を水槽の軸方向に分けて設け、前記通風ダクトを前記水槽のほゞ直下に水槽の軸方向と並列に配置し、前記水槽の軸方向と直交する方向の通風ダクト側方の位置に前記ヒートポンプのコンプレッサを配置すると共に、洗濯物から散出するリントを捕獲するフィルタを収納するフィルタケースを、ヒートポンプのエバポレータ及びコンデンサと縦列に並ぶ配置で、通風ダクトの風上側に設けたことを特徴とする（請求項１の発明）。
【手続補正３】
【補正対象書類名】明細書
【補正対象項目名】０００９
【補正方法】変更
【補正の内容】
【０００９】
上記手段によれば、水槽内の空気を循環させるときの経路が簡素であり、特に水槽から通風ダクトにかけての曲がりが大きくなく、その分、循環風量が多く得られ、ヒートポンプのエバポレータ及びコンデンサでの熱交換効率を高め得るから、乾燥性能を高く得ることができる。又、水槽に対する通風ダクト並びにヒートポンプのコンプレッサの配置がスペース効率良くできるから、全体のコンパクト化、軽量化を所望に達成することができる。
又、フィルケースから通風ダクトを通る空気の流れも一直線状となって、循環風量を低下させることがなくなるから、ヒートポンプのエバポレータ及びコンデンサでの熱交換効率を一層良くすることができる。
【手続補正４】
【補正対象書類名】明細書
【補正対象項目名】００２９
【補正方法】変更
【補正の内容】
【００２９】
そして、通風ダクト３２の入口部である前記開口６０には、図２、図３及び図７に示すように、フィルタケース６４を装着している。従って、このフィルタケース６４は、前記ヒートポンプ５７のエバポレータ４１及びコンデンサ４２と縦列に並ぶ配置で、後述で明らかとなるように、通風ダクト３２の風上側に設けている。
【手続補正５】
【補正対象書類名】明細書
【補正対象項目名】００５４
【補正方法】変更
【補正の内容】
【００５４】
又、洗濯物から散出するリントを捕獲するフィルタ６７を収納するフィルタケース６４を、ヒートポンプ５７のエバポレータ４１及びコンデンサ４２と縦列に並ぶ配置で、通風ダクト３２の風上側に設けている。これにより、フィルタケース６４から通風ダクト３２を通る空気の流れも一直線状となって、循環風量を低下させることがなくなるから、ヒートポンプ５７のエバポレータ４１及びコンデンサ４２での熱交換効率を一層良くすることができる。
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
遊技領域を備えた遊技機本体部と、
前記遊技機本体部に開閉可能に設けられ、開口を有する前面枠と、
前記前面枠に取り付けられ、前記開口に位置して前記遊技領域を視認可能にする透光性部材を支持する弾性を有したレールと、
前記遊技機本体部に設けられ、前記前面枠が前記遊技機本体部に対して閉じられた状態で前記レールに圧接して当該レールを弾性変形させるレール圧接部と、
を有することを特徴とする遊技機。
【請求項２】
前記レールは、前記前面枠の高さ方向に亘って連続した形状とされ、
前記レール圧接部は、前記レールに沿って延展されていることを特徴とする請求項１記載の遊技機。
【請求項３】
前記レールは、前記透光性部材の端部を受け入れてこれを挟持する断面コ字状の受け入れ部を有し、
前記レール圧接部は、前記受け入れ部に圧接して当該受け入れ部を前記透光性部材に圧接させる
ことを特徴とする請求項１または２記載の遊技機。
【請求項４】
前記透光性部材は、相互に前後方向に配置された第１の透光性部材および第２の透光性部材とからなり、
前記レールは、前記第１の透光性部材を受け入れる前記受け入れ部と、前記第２の透光性部材の一方面側の端部を支持する支持部とを備え、
前記受け入れ部と前記支持部との間には、前記レール圧接部が前記受け入れ部に圧接した際の圧接力を伝達し、前記支持部を弾性変形させる圧接力伝達部が形成されている
ことを特徴とする請求項３記載の遊技機。
【手続補正２】
【補正対象書類名】明細書
【補正対象項目名】０００８
【補正方法】変更
【補正の内容】
【０００８】
請求項２に記載の本発明は、請求項１記載の発明の構成に加えて、前記レールは、前記前面枠の高さ方向に亘って連続した形状とされ、レール圧接部は、レールに沿って延展されていることを特徴とする。
【手続補正３】
【補正対象書類名】明細書
【補正対象項目名】００１２
【補正方法】変更
【補正の内容】
【００１２】
請求項４に記載の本発明は、請求項３記載の発明の構成に加えて、透光性部材は、相互に前後方向に配置された第１の透光性部材および第２の透光性部材とからなり、レールは、第１の透光性部材を受け入れる受け入れ部と、第２の透光性部材の一方面側の端部を支持する支持部とを備え、受け入れ部と支持部との間には、レール圧接部が受け入れ部に圧接した際の圧接力を伝達し、支持部を弾性変形させる圧接力伝達部が形成されていることを特徴とする。
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
断面が略Ｕ字形状をなす受溝を有する下型、及び底面視長方形をなすラック歯成形歯部を有し、且つ該ラック歯成形歯部の幅方向の中央を揺動中心として前記受溝の幅方向への揺動を可能とした上型の一方は昇降を可能としてあり、前記受溝に軸素材を載置した後、前記一方の上昇又は下降により前記軸素材を押圧し、該軸素材を前記受溝に沿って変形させた後、前記上型により前記軸素材の周面の一部を押圧し、ラック歯を成形することを特徴とするラック軸の製造方法。
【請求項２】
前記上型を、成形されるラック歯の歯幅方向中央の鉛直線上に前記支点があるように配する請求項１記載のラック軸の製造方法。
【手続補正２】
【補正対象書類名】明細書
【補正対象項目名】０００５
【補正方法】変更
【補正の内容】
【０００５】
第１発明に係るラック軸の製造方法は、断面が略Ｕ字形状をなす受溝を有する下型、及び底面視長方形をなすラック歯成形歯部を有し、且つ該ラック歯成形歯部の幅方向の中央を揺動中心として前記受溝の幅方向への揺動を可能とした上型の一方は昇降を可能としてあり、前記受溝に軸素材を載置した後、前記一方の上昇又は下降により前記軸素材を押圧し、該軸素材を前記受溝に沿って変形させた後、前記上型により前記軸素材の周面の一部を押圧し、ラック歯を成形することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
第２発明に係るラック軸の製造方法は、前記上型を、成形されるラック歯の歯幅方向中央の鉛直線上に前記支点があるように配することを特徴とする。
【手続補正５】
【補正対象書類名】明細書
【補正対象項目名】０００８
【補正方法】変更
【補正の内容】
【０００８】
第１発明によれば、断面が略Ｕ字形状をなす受溝により軸素材の周方向への位置ずれを規制することができ、この規制状態で、底面視長方形をなすラック歯成形歯部を有する上型を、前記ラック歯成形歯部の幅方向の中央を揺動中心として揺動させつつラック歯を成形するため、押圧力を軸素材の径方向位置に均等に加えることが可能である。従って、ラック歯の歯幅方向端末に欠肉が発生し難く、正確なラック歯を成形し易い。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
第２発明によれば、軸素材の径方向の中央から径方向の距離が等しい位置を交互に押圧するため、押圧力を軸素材の径方向位置により一層均等に加えることができ、より一層正確なラック歯を成形し易い。
【手続補正８】
【補正対象書類名】明細書
【補正対象項目名】００１８
【補正方法】削除
【補正の内容】
【手続補正書】
【提出日】平成20年7月11日(2008.7.11)
【手続補正１】
【補正対象書類名】明細書
【補正対象項目名】００３０
【補正方法】変更
【補正の内容】
【００３０】
１…遮断壁、１Ａ…掘削溝、２…浄化杭、２Ａ…掘削孔、３…遮水壁、３Ａ…矢板、４…不透水層、５Ａ，５Ｂ…不透水層シート、６…捕捉杭、７…中空管、７ａ…透孔、８…空間形成管、９…安定液、１０…固化性材料、１１…遮水壁、１１Ａ…掘削孔、２０，２１，２２，２３，２４…浄化杭、２４Ａ…掘削孔、Ｈ…廃棄物。
【手続補正書】
【提出日】平成20年6月18日(2008.6.18)
【手続補正１】
【補正対象書類名】明細書
【補正対象項目名】００１０
【補正方法】変更
【補正の内容】
【００１０】
本発明に係る眼精疲労除去装置では、シャッター部の開閉動作により第１の状態と第２の状態との切り換えが実行可能である。このため、本発明に係る眼精疲労除去装置を用いたユーザの眼には、シャッター部が開状態である第１の状態のときに多くの外光が入射し、これによって瞳孔が縮瞳の状態となる。一方、シャッター部が閉状態である第２の状態のとき、ユーザの眼には、第１の状態よりも少ない光量の外光だけが入射する、あるいは、完全に入射光が遮断されることになり、瞳孔が散瞳の状態となる。
【手続補正２】
【補正対象書類名】明細書
【補正対象項目名】００１１
【補正方法】変更
【補正の内容】
【００１１】
本発明に係る眼精疲労除去装置を用いたユーザは、シャッター部の開閉動作によって瞳孔が散瞳・縮瞳を繰り返すことになり、眼筋（例えば、毛様筋など）を解すことが可能となる。
上記特許文献１に係る装置では、ユーザの眼への入射光の経路中にレンズを出し入れすることでユーザが観察する虚像距離を変化させユーザの眼筋を解すという方法を採用するので、装置におけるレンズを出し入れするための構成が複雑なものとなり、装置サイズおよび装置コストの観点から問題を有している。
【手続補正３】
【補正対象書類名】明細書
【補正対象項目名】００１３
【補正方法】変更
【補正の内容】
【００１３】
本発明に係る眼精疲労除去装置は、上述のように、所謂、装置本体部がゴーグル型の外観形状を有するものとしてもよいし、眼鏡型の外観形状を有するものとしてもよい。特に、ゴーグル型の外観形状を採用する場合には、シャッター部を配した入射経路以外から眼への外光の入射経路を遮断するように構成すれば、シャッター部を閉状態とした場合にユーザの眼に対する入射光を確実に遮断することができるので、瞳孔が散瞳する。このため、この構成を採用する場合には、ユーザが認識する明状態と暗状態とを明確にすることができ、眼精疲労を除去するのに特に有効となる。ただし、後者のように眼鏡型の外観形状を採用する場合にあっても、シャッター部の開閉動作により、ユーザの眼に入射する光の内の主たる部分を制御することができるので、眼精疲労の除去に有効である。
【手続補正４】
【補正対象書類名】明細書
【補正対象項目名】００１７
【補正方法】変更
【補正の内容】
【００１７】
図１に示すように、本実施の形態に係る眼精疲労除去装置１は、装置全体の外観形状がゴーグル状をしており、レンズに相当する部分がシャッター部１０となっている。シャッター部１０は、全体あるいはユーザの眼の前の部分が液晶パネルによって構成されており、後述するシャッター駆動部４０（図３を参照。）により液晶の状態が変化可能となっている。また、眼精疲労除去装置１は、フレーム部９０に操作スイッチ２０が設けられており、例えば、駆動スタートのためのスイッチとモード選択のためのスイッチ等を含んでいる。
【手続補正５】
【補正対象書類名】明細書
【補正対象項目名】００２３
【補正方法】変更
【補正の内容】
【００２３】
図４（ａ）に示すように、ユーザの眼に光Ｌ１が入射しているときには瞳孔が縮瞳する。これに伴い、チン氏体５０３を介してユーザの毛様筋５０２が緊張状態となる。
次に、図３（ｂ）に示すように、シャッター駆動部４０によりシャッター部１０が閉状態とされた場合には、外光Ｌ０はシャッター部１０で略完全に遮断されることになり、ユーザは暗状態を認識する。このようにシャッター部１０が閉状態となることによって、ユーザの眼には、外光Ｌ０が入射しないことになり、瞳孔が散瞳状態となる（第２の状態）。なお、本実施の形態では、シャッター部１０が閉状態のとき、外光Ｌ０が略完全に遮断されることになる構成となっているが、必ずしも略完全に外光Ｌ０を遮断する必要は無く、上記第１の状態に比べて入射光量を低減できれば、眼精疲労除去の効果は奏されることになる。
【手続補正６】
【補正対象書類名】明細書
【補正対象項目名】００２４
【補正方法】変更
【補正の内容】
【００２４】
図４（ｂ）に示すように、シャッター部１０が閉状態でユーザの眼への外光Ｌ０が遮られた状態では瞳孔が散瞳状態となる。これに伴い、チン氏体５０３を介してユーザの毛様筋５０２が緩んだ状態となる。このように外光Ｌ０が遮られた状態では瞳孔が散瞳状態となり、毛様筋５０２が緩んだ状態となる。
【手続補正７】
【補正対象書類名】明細書
【補正対象項目名】００２５
【補正方法】変更
【補正の内容】
【００２５】
以上のように、本実施の形態に係る眼精疲労除去装置１では、シャッター部１０の開閉駆動を一定の周期をもって実行し、ユーザの瞳孔が縮瞳と散瞳とを繰り返す（第１の状態と第２の状態）。このようにユーザの瞳孔に縮瞳と散瞳とを繰り返させることで、ユーザの眼筋（毛様筋など）の緊張を解すことができるという効果を奏する。このようにして、本実施の形態に係る眼精疲労除去装置１は、シャッター部１０という簡易な構成およびその開閉動作という簡易な動作原理をもって、ユーザの毛様筋の緊張を解すことが可能であり、眼精疲労の除去を可能とする。
３．眼精疲労除去装置１の駆動方法
次に、ユーザが本実施の形態に係る眼精疲労除去装置１を頭部に搭載し、操作スイッチ２０の内の駆動開始スイッチを押した際の装置１の駆動方法について、図５および図６を用いて説明する。
【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
被検体内に挿入される挿入部の先端側に、複数の湾曲操作ワイヤにそれぞれ連結される複数のリンク部材がそれぞれ回動自在に連設された湾曲部を有する医療用具と、
前記湾曲操作ワイヤのそれぞれを牽引又は弛緩することにより前記複数のリンク部材をそれぞれ回動させて前記湾曲部を湾曲動作させるための駆動手段と、
前記複数のリンク部材の内、前記挿入部の最も先端側のリンク部材の位置と向きを指定する指定手段と、
前記医療用具の前記湾曲部が移動したときに前記指定手段により指定された位置と向きを維持しながら前記最も先端側のリンク部材及びこのリンク部材に連なる他のリンク部材が前記位置を通過するように前記複数のリンク部材のそれぞれの角度を演算し、この演算結果に基づいて、前記複数のリンク部材を回動させるように前記駆動手段を制御する制御手段と、
を具備したことを特徴とする医療用制御装置。
【請求項２】
被検体内に挿入される挿入部の先端側に、複数のリンク部材がそれぞれ回動自在に連設された湾曲部を有する医療用具と、
前記複数の最も先端側に位置するリンク部材に連結される少なくとも１本の湾曲操作ワイヤと、
前記湾曲操作ワイヤを牽引又は弛緩することにより前記複数のリンク部材を回動させて前記湾曲部を湾曲動作させるための駆動手段と、
前記複数のリンク部材の内、前記挿入部の最も先端側のリンク部材の位置と向きを指定する指定手段と、
前記医療用具の前記湾曲部が移動したときに前記指定手段により指定された位置と向きを維持しながら、前記最も先端側のリンク部材及びこのリンク部材に連なる他のリンク部材が前記位置を通過するように前記複数のリンク部材のそれぞれの角度を演算し、この演算結果に基づいて、前記複数のリンク部材を回動させるように前記駆動手段を制御する制御手段と、
を具備したことを特徴とする医療用制御装置。
【請求項３】
前記複数のリンク部材が互いになす角度及びその角度の変化量を検出する検出手段を有し、
前記制御手段は、前記検出手段による検出結果を用いて、前記複数のリンク部材における隣り合うリンク部材のそれぞれの角度を演算し、この演算結果に基づいて、前記複数のリンク部材を回動させるように前記駆動手段を制御することを特徴とする請求項１または２に記載の医療用制御装置。
【請求項４】
前記制御手段は、前記最も先端側のリンク部材が前記指定手段により指定された向きに対して異なる向きに変化したときに、前記検出手段による検出結果を用いて、前記最も先端側のリンク部材の前記変化した向きとは逆方向に変化した量だけ回動するように前記最も先端側のリンク部材に連なる複数のリンク部材における隣り合うリンク部材のそれぞれの角度を演算し、この演算結果に基づいて、前記複数のリンク部材を回動させるように前記駆動手段を制御することを特徴とする請求項１から３のいずれか一つに記載の医療用制御装置。
【請求項５】
前記複数の湾曲操作ワイヤは、前記湾曲部を少なくとも２方向にそれぞれ湾曲動作させるための第１、及び第２の湾曲操作ワイヤを有し、
前記制御手段は、前記湾曲部の前記２方向における湾曲動作後に、前記第１の湾曲操作ワイヤを牽引する力量と、前記第２の湾曲操作ワイヤを牽引する力量とが同じになるように前記駆動手段を制御することにより、前記湾曲部に剛性を生じさせることを特徴とする請求項１から４のいずれか一つに記載の医療用制御装置。
【請求項６】
前記医療用具は、前記挿入部の先端側に前記湾曲部を有する内視鏡であることを特徴とする請求項１から５のいずれか一つに記載の医療用制御装置。
【手続補正２】
【補正対象書類名】明細書
【補正対象項目名】００１３
【補正方法】変更
【補正の内容】
【００１３】
請求項２に記載の発明の医療用制御装置は、被検体内に挿入される挿入部の先端側に、複数のリンク部材がそれぞれ回動自在に連設された湾曲部を有する医療用具と、前記複数の最も先端側に位置するリンク部材に連結される少なくとも１本の湾曲操作ワイヤと、前記湾曲操作ワイヤを牽引又は弛緩することにより前記複数のリンク部材を回動させて前記湾曲部を湾曲動作させるための駆動手段と、前記複数のリンク部材の内、前記挿入部の最も先端側のリンク部材の位置と向きを指定する指定手段と、前記医療用具の前記湾曲部が移動したときに前記指定手段により指定された位置と向きを維持しながら、前記最も先端側のリンク部材及びこのリンク部材に連なる他のリンク部材が前記位置を通過するように前記複数のリンク部材のそれぞれの角度を演算し、この演算結果に基づいて、前記複数のリンク部材を回動させるように前記駆動手段を制御する制御手段と、を有している。
【手続補正３】
【補正対象書類名】明細書
【補正対象項目名】００１４
【補正方法】削除
【補正の内容】
【手続補正４】
【補正対象書類名】明細書
【補正対象項目名】００２５
【補正方法】変更
【補正の内容】
【００２５】
図３及び図４に示すように、前記挿入部９の湾曲部１４は、被検体内に挿入される挿入部９の先端側に設けられている。この湾曲部１４は、挿入部駆動機構２０を有し、この挿入部駆動機構２０は、複数のリンク部材２１ａ、２１ｂ、２１ｃ…２１ｎが複数の関節部材２０ａ、２０ｂ、２０ｃ…２０ｎによってそれぞれ回動自在に連接されることにより、構成している。つまり、挿入部駆動機構２０は、多関節のリンク構造を有している。
【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
食品を内部に配置するための加熱室と、
水蒸気を発生させるための水蒸気発生手段と、
前記水蒸気発生手段で発生した水蒸気を加熱して過熱水蒸気にするための水蒸気加熱手段と、
食品の表面に凝縮水を付着させる作用を利用して、前記加熱室内に配置された食品に含まれる成分のうち、油分や塩分の割合を減少させるように前記水蒸気発生手段と前記水蒸気加熱手段とを制御するための水蒸気制御手段とを備えた、加熱調理器。
【請求項２】
前記加熱室内に配置された食品に含まれる成分のうち、前記水蒸気制御手段によって割合を減少させる対象の成分として人間の健康に影響を与える成分を選択するための成分選択手段をさらに備える、請求項１に記載の加熱調理器。
【請求項３】
少なくとも凝縮水を食品の表面に付着させることによって加熱調理する加熱調理器であって、
食品に含まれる成分のうち、油分や塩分の割合を減少させるように食品を調理するメニューを選択するためのメニュー選択手段を操作部に備えた、加熱調理器。
【請求項４】
前記メニュー選択手段は、脱油や減塩に関する名称を有する第１のメニューを選択するための第１のメニュー選択手段を含む、請求項３に記載の加熱調理器。
【請求項５】
前記メニュー選択手段は、前記第１のメニュー選択手段によって選択された第１のメニューの各々に属する第２のメニューを選択するための第２のメニュー選択手段をさらに含む、請求項４に記載の加熱調理器。
【請求項６】
食品に含まれる成分のうち、人間の健康に影響を与える所定の成分の割合が維持される、または変化するように食品を加熱調理するための第１の加熱手段と、メニューに応じて食品を通常加熱調理するための第２の加熱手段とをさらに備える、請求項３から請求項５までのいずれか１項に記載の加熱調理器。
【手続補正２】
【補正対象書類名】明細書
【補正対象項目名】０００１
【補正方法】変更
【補正の内容】
【０００１】
この発明は、一般的には加熱調理器に関し、被加熱物としての食品に少なくとも凝縮水を付着させることによって加熱調理する加熱調理器に関するものである。
【手続補正３】
【補正対象書類名】明細書
【補正対象項目名】０００９
【補正方法】変更
【補正の内容】
【０００９】
この発明の一つの局面に従った加熱調理器は、加熱室と水蒸気発生手段と水蒸気加熱手段と水蒸気制御手段とを備える。加熱室は食品を内部に配置するためのものである。水蒸気発生手段は水蒸気を発生させるためのものである。水蒸気加熱手段は水蒸気発生手段で発生した水蒸気を加熱して過熱水蒸気にするためのものである。水蒸気制御手段は、食品の表面に凝縮水を付着させる作用を利用して、加熱室内に配置された食品に含まれる成分のうち、油分や塩分の割合を減少させるように水蒸気発生手段と水蒸気加熱手段とを制御するためのものである。
【手続補正４】
【補正対象書類名】明細書
【補正対象項目名】００１０
【補正方法】変更
【補正の内容】
【００１０】
この発明の一つの局面に従った加熱調理器においては、水蒸気制御手段によって、加熱室内に配置された食品に含まれる成分のうち、油分や塩分の割合を減少させるように水蒸気発生手段と水蒸気加熱手段とを制御することができる。これにより、健康を意識した特別なメニューにしたがって食材を調製する必要がなく、通常のメニューに従った食材を用いて、食材の表面に付着される凝縮水を利用することによって、その食材に含まれる成分のうち、人間の健康に影響を与える所定の成分の割合の変化を制御して、健康面での効能を高めた調理を行なうことができる。
【手続補正５】
【補正対象書類名】明細書
【補正対象項目名】００１１
【補正方法】変更
【補正の内容】
【００１１】
この発明の一つの局面に従った加熱調理器は、加熱室内に配置された食品に含まれる成分のうち、水蒸気制御手段によって割合を減少させる対象の成分として人間の健康に影響を与える成分を選択するための成分選択手段をさらに備えるのが好ましい。この場合、健康面での効能を高めた調理を行なうために成分選択手段を用いて、人間の健康に影響を与える成分の中で所望の成分に特化して加熱調理を行なうことができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
この発明のもう一つの局面に従った加熱調理器は、少なくとも凝縮水を食品の表面に付着させることによって加熱調理する加熱調理器であって、食品に含まれる成分のうち、油分や塩分の割合を減少させるように食品を調理するメニューを選択するためのメニュー選択手段を操作部に備えている。
【手続補正１０】
【補正対象書類名】明細書
【補正対象項目名】００１６
【補正方法】変更
【補正の内容】
【００１６】
この発明のもう一つの局面に従った加熱調理器においては、油分や塩分の割合を減少させるように食品を調理するメニューを選択するためのメニュー選択手段を操作部に備えているので、通常のメニューを加熱調理する際に健康を気遣い健康的な食生活に留意している使用者が健康に影響を与える成分の中で所望の成分に特化した加熱調理を簡単に選択して行なうことができる。
【手続補正１１】
【補正対象書類名】明細書
【補正対象項目名】００１７
【補正方法】変更
【補正の内容】
【００１７】
この発明のもう一つの局面に従った加熱調理器においては、メニュー選択手段が、脱油や減塩に関する名称を有する第１のメニューを選択するための第１のメニュー選択手段を含むのが好ましい。
【手続補正書】
【提出日】平成19年12月27日(2007.12.27)
【手続補正１】
【補正対象書類名】明細書
【補正対象項目名】０００３
【補正方法】変更
【補正の内容】
【０００３】
一般的に、バケットはダブテールによってロータに固定される。例えば、バケットは、軸方向に延びる第１及び第２のダブテールを有することができる。ロータ上の１つおきのダブテールは、第１及び第２のバケットダブテール間に受けられる。残りのロータダブテールは、次の隣接するバケットのバケットダブテール間に受けられる。ロータは、一般的にバケットのクリープ又は破断強度のような高いクリープ又は破断強度特性を持たない材質で作られ、従って、ロータダブテールの周りにはクリープ損傷が発生するおそれがあり、また実際に発生している。従来の方法では、バケット及びロータのダブテールは、バケット及びロータのダブテールの両方に形成した穴内に軸方向に延びるクラッシュピンを挿入することによって互いに固定される。ダブテールのピン穴の周り、特にロータダブテールのネック部領域内のクリープひずみが、確認されている。
【特許文献１】米国特許第2639119号明細書
【特許文献２】米国特許第4142824号明細書
【特許文献３】米国特許第5062769号明細書
【特許文献４】米国特許第6923616号明細書
【手続補正書】
【提出日】平成19年12月26日(2007.12.26)
【手続補正１】
【補正対象書類名】明細書
【補正対象項目名】０００４
【補正方法】変更
【補正の内容】
【０００４】
燃料集合体内の部分長燃料ロッドの公知の構成では、最適な原子炉臨界出力及び／又は停止マージンが達成されない。
【特許文献１】特表平０５−５０４２０１号公報
【特許文献２】特開平０１−１４００９２１９８９年６月１日公開
【特許文献３】特開平０１−１２３１９４１９８９年５月１６日公開
【特許文献４】特開平０１−０９８９９３１９８９年４月１７日公開
【特許文献５】特開平０１−０８８２９２１９８９年４月３日公開
【特許文献６】特開平０１−０２３１９５１９８９年１月２５日公開
【特許文献７】特開平０１−０２３１９４１９８９年１月２５日公開
【特許文献８】特開平０６−３４２０９２１９９４年１２月１３日公開
【特許文献９】特開平０５−１５００６８１９９３年６月１８日公開
【特許文献１０】特開平０５−１５００６６１９９３年６月１８日公開
【特許文献１１】米国特許第４，９６８，４７９号１９９０年１１月発行
【特許文献１２】米国特許第５，０６８，０８２号１９９１年１１月発行
【特許文献１３】米国特許第５，１９２，４９６号１９９３年３月発行
【特許文献１４】米国特許第５，２２９，０６８号１９９３年７月発行
【特許文献１５】米国特許第５，４３２，８２９号１９９５年７月発行
【特許文献１６】米国特許第６，３３５，９５６号２００２年１月発行
【特許文献１７】米国特許第６，６００，８００号２００３年７月発行
【特許文献１８】米国特許第６，７２８，３２９号２００４年４月発行
【特許文献１９】米国特許第６，７３５，２６７号２００４年５月発行
【非特許文献１】Siemens. "ATRIUM Fuel Assemblies for Boiling Water Reactors", Nov. 1993, 9 pgs.
【非特許文献２】W. Kraemer et al. 'The ULTRAFLOW Spacer-An Advanced Feature of ATRIUM FuelAssemblies for Boiling Water Reactors." Nuclear Engineering and Design, 154 (1 995), Pgs 17-21.
【非特許文献３】K. V. Walters. "ATRIUMTM-10L attice and Fuel Assembly Design." Siemens PowerCorporation - Nuclear Division, pgs 3-1 to 3-7, Undated
【非特許文献４】"ATRIUMTM Fuel Assembly with Reduced Pressure Loss: Premiere In Philippsburg I", ADEXJob No. 98471, pgs 1-3, Undated.
【非特許文献５】K. Tsuda et al. "An Advanced 9x9 Fuel Design with Offset Water-Channel for D-LatticeBWR Plants." BWR Fuel Engineering Department, Nuclear Fuel Industries, Ltd., 9 pgs.,Undated.